(57)【要約】      （修正有）【課題】伸縮性を損なうことなく、指爪先部を補強できる爪先部補強靴下を提供する。【解決手段】靴下本体は、人の足指爪先と靴下本体の指爪先部の間に配置される補強生地８を備え、補強生地の一部を指爪先部３に対して取付けてなる爪先部補強靴下Ｅである。靴下本体の指爪先部を補強する補強生地は、補強生地の一部を指爪先部に対して取付けているので、靴下本体の指爪先部の伸縮性を阻害することなく、指爪先部を補強できる。【選択図】図１
0003168211.tif 000002
【実用新案登録請求の範囲】
【請求項１】
人の足指爪先、土踏まず及び踵と覆う指爪先部、土踏まず部及び踵部と、前記人の足指爪先及び土踏まず間の足裏を覆う足裏部を含んで構成される靴下本体を備え、前記靴下本体は、伸縮性の繊維で形成される靴下において、
前記靴下本体は、
前記人の足指爪先と前記靴下本体の前記指爪先部の間に配置される補強生地を備え、前記補強生地の一部を前記指爪先部に対して取付けてなる、
ことを特徴とする爪先部補強靴下。
【請求項２】
前記補強生地は、
前記靴下本体内で前記人の各指が並列する幅方向の両端側を、前記指爪先部の前記幅方向の両端側に対応して取付けられている、
ことを特徴とする請求項１に記載の爪先部補強靴下。
【請求項３】
前記靴下本体は、足裏側マット体及び踵側マット体を備え、
前記足裏側マット体及び前記踵側マット体は、吸湿性及び緩衝性を有する素材で形成されてなり、
前記足裏側マット体は、
前記人の足裏と前記靴下本体の前記足裏部の間に配置されて、前記足裏部に取付けられ、
前記踵側マット体は、
前記人の踵と前記靴下本体の前記踵部の間に配置されて、前記踵部に取付けられている、
ことを特徴とする請求項１に記載の爪先部補強靴下。
【考案の詳細な説明】
【技術分野】
【０００１】
本考案は、人の足爪先、足裏、土踏まず及び踵を覆う靴下本体を備え、靴下本体を伸縮性の繊維で形成した靴下に関し、特に、指爪先部に補強生地を取付けた爪先部補強靴下に関する。
【背景技術】
【０００２】
現在、靴下としては、服装全体の美観を保つため、靴の中に隠して使用するフットカバー等が提案されている。
フットカバー等の靴下は、伸縮性の繊維で構成されるレース生地で形成され、各種の模様装飾を施している。レース生地のフットカバーは、通気性の観点から夏場に多く使用される。
靴下全般において、靴下を履く際、足の指の爪が靴下の指爪先部に引っ掛かり、又は靴を履いて歩行する際、人の足の爪が靴の間にある靴下の指爪先部に擦れて、靴下の指爪先部を傷つけて破れる。特に、レース生地や薄生地で形成されるフットカバー等の靴下は、足の指の爪が指爪先部に引っ掛かって破れやすい。
【０００３】
靴下の爪先部の破れを防止する技術として、特許文献１に開示する技術は、フットカバーの靴下を開示する。特許文献１に開示するフットカバーは、つま先部に軟質弾性ゴムを取付けて、つま先部を補強することで、つま先部の破れを防止している。
【０００４】
しかしながら、特許文献１に開示する技術では、加熱溶融した軟質弾性ゴムを表面繊維に塗布して、つま先部の全体に対して軟質弾性ゴムを取付けているので、つま先部の伸縮性を阻害してしまう。
従って、特許文献１に開示する技術では、足のサイズ毎に、フットカバーを用意する必要があり、汎用性に欠けるという問題がある。
【先行技術文献】
【特許文献】
【０００５】
【特許文献１】登録実用新案第３１１４２２号公報
【考案の概要】
【考案が解決しようとする課題】
【０００６】
本考案は、伸縮性を損なうことなく、靴下の指爪先部を補強できる爪先部補強靴下を提供することにある。
【課題を解決するための手段】
【０００７】
本考案に係る請求項１は、人の足指爪先、土踏まず及び踵と覆う指爪先部、土踏まず部及び踵部と、前記人の足指爪先及び土踏まず間の足裏を覆う足裏部を含んで構成される靴下本体を備え、前記靴下本体は、伸縮性の繊維で形成される靴下において、前記靴下本体は、前記人の足指爪先と前記靴下本体の前記指爪先部の間に配置される補強生地を備え、前記補強生地の一部を前記指爪先部に対して取付けてなることを特徴とする爪先部補強靴下である。
【０００８】
本考案に係る請求項２は、前記補強生地は、前記靴下本体内で前記人の各足指が並列する幅方向の両端側を、前記足指爪先部の前記幅方向の両端側に対応して取付けられていることを特徴とする請求項１に記載の爪先部補強靴下である。
【０００９】
本考案に係る請求項３は、前記靴下本体は、足裏側マット体及び踵側マット体を備え、前記足裏側マット体及び前記踵側マット体は、吸湿性及び緩衝性を有する素材で形成されてなり、前記足裏側マット体は、前記人の足裏と前記靴下本体の前記足裏部の間に配置されて、前記足裏部に取付けられ、前記踵側マット体は、前記人の踵と前記靴下本体の前記踵部の間に配置されて、前記踵部に取付けられていることを特徴とする請求項１に記載の爪先部補強靴下である。
【考案の効果】
【００１０】
本考案に係る請求項１によれば、靴下本体の指爪先部を補強する補強生地は、補強生地の一部を指爪先部に対して取付けているので、靴下本体の指爪先部の伸縮性を阻害することなく、指爪先部を補強できる。
これにより、靴下本体の指爪先部の破れを防止でき、靴下本体の伸縮性によって多くの足のサイズに使用できる汎用性のある靴下を提供できる。
特に、靴下をレース生地や薄生地で形成するとき、靴下本体の伸縮性を阻害することなく、指爪先部を補強できる。
【００１１】
本考案の請求項２によれば、補強生地の一部である幅方向の両端側を、靴下本体の指爪先部の両端側に対応して取付けると、幅方向の両端間の靴下本体の伸縮を阻害することなく、指爪先部を人の指の爪から保護できる。
これにより、サイズの異なる足を靴下本体内に装着しても、指爪先部の両端側間に位置する靴下本体は、幅方向を含む多方向に伸縮でき、広い範囲の足サイズに使用でき、汎用性を持たせることができる。このとき、補強生地も、靴下本体と同様にして、多方向に伸縮するので、補強生地は、人の各指の爪に当接して、指爪先部を人の指の爪から保護する。
従って、爪先部補強靴下を履く際には、指爪先部に直接、人の各指の爪が引っ掛かることなく、また、靴を履いて歩行する際には、人の各指の爪が直接、指爪先部のレース生地に触れることがなくなるので、指爪先部の破れを防止できる。
【００１２】
本考案に係る請求項３によれば、足裏側マット体及び踵側マット体を、靴下本体の土踏まず部を除く、足裏部及び踵部に取付けるので、靴下本体の伸縮性を阻害しない構成にできる。また、足裏側マット体及び踵側マット体は、吸湿性及び緩衝性を有する素材で形成されているので、人の足から汗を吸収でき、歩行の際の衝撃を吸収できる。
【図面の簡単な説明】
【００１３】
【図１】本考案に係る爪先部補強靴下を示す図であって、人の足を挿入した状態を示す側面図である。
【図２】図１のＡ−Ａ矢視図である。
【図３】図１のＢ−Ｂ断面矢視図である。
【図４】図１のＣ−Ｃ断面矢視図である。
【考案を実施するための形態】
【００１４】
本考案に係る爪先部補強靴下について、図１乃至図４を参照して説明する。
【００１５】
図１乃至図４において、爪先部補強靴下（Ｅ）は、人が履いたとき、人の踝が外部に露出するフットカバーである。
【００１６】
爪先部補強靴下（Ｅ）は、伸縮性の繊維、例えば、ポリエステル繊維のレース生地で形成され、花模様等の装飾を施している。
爪先補強靴下（Ｅ）は、袋状の靴下本体（１）を備えている。靴下本体（１）は、図１に示すように、人の足指爪先（Ｗ）を覆う指爪先部（３）、人の土踏まず（Ｘ）を覆う土踏まず部（５）、人の踵（Ｙ）を覆う踵部（６）、人の土踏まず（Ｘ）及び足指爪先（Ｗ）の間の足裏（Ｚ）を覆う足裏部（７）を含んで構成される。
また、靴下本体（１）は、図１乃至図３に示すように、人の足を挿入する挿入口（２）を有し、挿入口（２）は、踵部（６）、土踏まず部（７）及び足裏部（７）の上方側に開口している。
【００１７】
靴下本体（１）は、図１乃至図４に示すように、補強生地（８）、足裏側マット（９）及び踵側マット（１０）を備えている。
【００１８】
補強生地（８）は、伸縮性の繊維で形成され、靴下本体（１）を形成するレース生地と同一色にする。補強生地（８）は、図１に示すように、人の足指爪先（Ｗ）と靴下本体（１）の指爪先部（３）の間に配置され、人の各足指（５本の指）の爪（Ｗ１）全体を含んで覆う。補強生地（８）は、指爪先部（３）に対して縫製によって取付けられている。
【００１９】
補強生地（８）の縫製は、図３に示すように、靴下本体（１）の幅方向（Ｐ）において、補強生地（８）の両端側である左右端側（Ｐ１）、（Ｐ２）を、指爪先部（３）の幅方向（Ｐ）の両端側である左右端側（１Ａ）、（１Ｂ）に対応されて縫製によって取付ける。なお、幅方向（Ｐ）とは、爪先部補強靴下（Ｅ）を履いたとき、靴下本体（１）内で人の各指（５本指）が並列する方向を意味する。
【００２０】
このように、補強生地（８）の一部、特に、幅方向（Ｐ）の左右端側を、靴下本体（１）の指爪先部（３）の左右端側に対応させて取付けると、幅方向（Ｐ）の左右端間の靴下本体（１）の伸縮を阻害することなく、指爪先部（３）を人の各指の爪から保護できる。
【００２１】
これにより、サイズの異なる足を、靴下本体（１）の挿入口（２）から装着しても、指爪先部（３）の左右端側（１Ａ）、（１Ｂ）間に位置する靴下本体（１）は、幅方向（Ｐ）及び前後方向（Ｑ）を含む多方向に伸縮でき、広い範囲の足サイズに使用でき、汎用性を持たせることができる。このとき、伸縮性の補強生地（８）も、靴下本体（１）と同様にして、多方向に伸縮するので、補強生地（８）は、人の各足指の爪（Ｗ１）に当接して、指爪先部（３）を人の各指の爪（Ｗ１）から保護する。
従って、爪先部補強靴下（Ｅ）を履く際には、指爪先部（３）に直接、人の各指の爪が引っ掛かることなく、また、靴を履いて歩行する際には、人の各足指の爪が直接、指爪先部（３）のレース生地に触れることがなくなるので、指爪先部（３）の破れを防止できる。
【００２２】
更に、補強生地（８）の縫製は、図３に示すように、靴下本体（１）の幅方向（Ｐ）に直交する前後方向（Ｑ）において、挿入口（２）側の後端側（Ｑ１）を縫製することで、指爪先部（３）に対して取付けられている。なお、補強生地（８）の後端側（Ｑ１）は、幅方向（Ｐ）の全体にわたって縫製される。
このように、補強生地（８）の後端側（Ｑ１）を指爪先部（３）に取付けると、爪先部補強靴下（１）を履く際に、足の各指が爪先部（３）のレース生地と補強生地（８）の間に挿入されることを防止でき、人の各指の爪が直接、指爪先部（３）に接触して破れることを防止できる。
【００２３】
足裏側クッション体（９）は、図１に示すように、人の足裏（Ｚ）と靴下本体（１）の足裏部（７）の間に配置され、足裏部（７）に取付けられている。
踵側クッション体（１０）は、人の踵（Ｙ）と靴下本体（１）の踵部（６）の間に配置され、踵部（６）に取付けられている。
各クッション体（９）、（１０）は、靴下本体（１）の土踏まず部（５）以外において、人の足が直接、地面等に接地する足裏部（７）及び踵部（６）に取付けられる。
【００２４】
足裏側クッション体（９）及び踵側クッション体（１０）は、図１及び図４に示すように、汗取りマット（１２）及びクッションマット（１３）で構成される。
汗取りマット（１２）は、吸湿性の生地、例えば、タオル生地等で形成され、クッションマット（１３）は、緩衝性の生地、例えば、ウレタン素材等で形成される。
また、汗取りマット（１２）及びクッションマット（１３）は、縫製によって一体化されている。
【００２５】
足裏側クッション体（９）は、クッションマット（１３）側を靴下本体（１）の足裏部（７）に対して縫製によって取付けられ、踵側クッション体（１０）は、クッションマット（１３）側を靴下本体（１）の踵部（６）に対して縫製によって取付けられる。
これにより、各クッション体（９）、（１０）は、図１に示すように、人の足裏（Ｚ）及び踵（Ｙ）に対して汗取りマット（１２）を接触できる。
【００２６】
このように、足裏側マット体（９）及び踵側マット体（１０）を、靴下本体（１）の土踏まず部（５）を除く、足裏部（７）及び踵部（６）に対して取付けているので、靴下本体（１）の土踏まず部（５）は、幅方向（Ｐ）及び前後方向（Ｑ）を含む多方向に伸縮でき、靴下本体（１）の伸縮性を阻害しない構成にできる。
【００２７】
また、足裏側マット体（９）及び踵側マット体（１０）は、汗取りマット（１２）を人の足裏（Ｚ）及び踵（Ｙ）に当接でき、人の足から汗を吸収できる。特に、レース生地の靴下は汗を吸収し難く、人の足裏（Ｚ）及び踵（Ｙ）に汗が溜まりやすいので、各マット体（９）、（１０）を靴下本体（１）の足裏部（７）及び踵部（６）に配置することで、人の汗を効果的に吸収できる。
【００２８】
更に、各マット体（９）、（１０）は、人の足が直接、接地する足裏部（７）及び踵部（６）に配置するので、歩行の際の衝撃をクッションマット（１３）で吸収でき、人の踵や膝に対する負担を軽減できる。
【００２９】
本考案に係る爪先部補強靴下（Ｅ）では、レース生地のフットカバーの靴下について説明したが、これに限定されるものでなく、靴下全般に適用でき、特に、薄生地で形成される靴下に効果的である。
【００３０】
また、本考案に係る爪先部補強靴下（Ｅ）では、補強生地（８）の幅方向（Ｐ）の両端側（Ｐ１）、（Ｐ２）を、指爪先部（３）の両端側（Ａ１）、（Ａ２）に対応して取付けているが、これに限定されるものでなく、靴下本体（１）の伸縮性を阻害しないように、補強生地（８）の一部を指爪先部（３）に取付ければ良い。
【００３１】
更に、本考案に係る爪先部補強靴下（Ｅ）では、補強生地（８）を指爪先部（３）に対して縫製によって取付けているが、これに限定されるものでなく、補強生地（８）の一部を接着剤で接着し、補強生地（８）の一部を溶融して溶着することもできる。
【産業上の利用可能性】
【００３２】
本考案は、靴下の好適である。
【符号の説明】
【００３３】
Ｅ  爪先部補強靴下
Ｗ  人の足指爪先
Ｘ  土踏まず
Ｙ  踵
Ｚ  足裏
１  靴下本体
３  足指爪先部
５  土踏まず部
６  踵部
７  足裏部
８  補強生地
９  足裏側マット体
１０  踵側マット体
【図１】
0003168211.tif 000003
【図２】
0003168211.tif 000004
【図３】
0003168211.tif 000005
【図４】
0003168211.tif 000006